(57)【特許請求の範囲】
【請求項１】
下方から上方に向けて芝台石、中台石、上台石およびはつ台石が積層された墓石において、
上台石、中台石および芝台石に上下垂直方向に貫通する穿孔が設けられ、はつ台には底面から上方に向けてはつ台石の高さの２／３以上で貫通しない単一孔としてのはつ台孔が設けられて各穿孔およびはつ台孔は垂直に一直線状に連通され、
芝台石の下端面にステンレス材からなる支持板が設けられ、
該支持板に固定され、各穿孔を一直線状に貫通し、更に一直線状にはつ台孔内に、はつ台石の高さの２／３以上で単一棒としてのステンレス棒が配設され、該ステンレス棒には螺合部が形成されてナットが螺合され、該芝台石の上面上側からナット締めされることによって前記ステンレス棒が芝台石の上面および支持板間で固定的に締結されて、芝台石間下部固定締結手段が構成され、
上台石および中台石の各穿孔およびはつ台孔とステンレス棒との間の間隙に樹脂材が充填され、固定締結されない、はつ台石および中台石間上部樹脂振動吸収手段が構成され、
以ってステンレス棒が前記芝台石間下部固定締結手段とはつ台石および中台石間上部樹脂振動吸収手段とによって拘束されてはつ台がステンレス棒によって転倒防止されるようにされたこと
を特徴とする墓石。
【請求項２】
請求項１において、各穿孔の内壁とステンレス棒の外面との間隙が、５〜１５ｍｍ／２とされたことを特徴とする墓石。
【請求項３】
請求項１または２において、はつ台孔の内壁とステンレス棒の外面との間隙には、はつ台孔の下端から１／３の範囲において樹脂材が充填され、１／３の上方部は空隙とされたことを特徴とする墓石。
【発明の詳細な説明】
【技術分野】
【０００１】
本発明は、墓石に関する。
【背景技術】
【０００２】
墓石は通常角石を積層して、すなわち積み重ねられて構成される。墓石は通常下から芝台石（土台石、要台石）、中台石（箱石）、上台石（角石）およびはつ台石（サオ台石、仏石、棹石という場合もある。）を積み重ね構造であり、上台石とはつ台石との間にスリン石、蓮花台あるいは銅張りを入れる場合もある。  
角石を積み上げる構造では、ずれたりして地震等の振動に弱く、雨水が浸入したり、破損したりするおそれがあるためにモルタルを塗って積むかあるいは接着剤で強固に接着することが行われる。しかしこのような構造では積層された墓石の安定が確保されない、あるいは補修や彫り作業に不便であるために支持棒を積み重ねた角石の中央部に設けた穿孔に設置することが行われている。
【０００３】
特許文献１には、竿石は底面中央にアンカーナットを有する孔を形成し、角石、箱石に設けた貫通孔を貫通してアンカーナットに螺合され、かつ下端が箱石の天井に締結されている通しボルトを備えた墓が記載されている。
【０００４】
特許文献２には、要台石と、それを受けるベースコンクリートとをアンカーを介して結合し、ベースコンクリートの上に打設される床コンクリートによって、そのアンカーを埋設し、要台石の上面中央に支軸を突設し、支軸に上台石を貫通し、棹石を中途まで刺し付けて積み上げた石積み墓標が記載されている。
【０００５】
特許文献３には、何段かに積み上げられた石材と、最上段のものを除く石材を上下に貫く支持ボルトと、該支持ボルトの上端に螺合する、最上段の石材の下面に穿った穴の中に収められる埋め込みナットと、該穴の内面と該埋め込みナットの間に充填硬化させた固着剤からなる石材構造物が記載されている。
【０００６】
【特許文献１】特開平９−６０３４８号公報
【特許文献２】特開２００２−３８７６９号公報
【特許文献３】特開２００６−２２４８７号公報
【発明の開示】
【発明が解決しようとする課題】
【０００７】
はつ台石、上台石、中台石および芝台石の各石に貫通孔を設けて、この貫通孔に支持ボルトを貫通させたものは、強度は増すがはつ台石の天端にボルト孔が現われるもので、墓石として見栄えが良くない。
【０００８】
はつ台石の中央部に天端に達しない穿孔を設け、各石の貫通孔を貫通した支持棒を穿孔まで貫通させ、該支持棒を穿孔部に設けた固定手段と芝石の下端に設けた固定手段とによって上下固定する構造にあってははつ台石、芝台石という上下両側の石を固定手段によって固定することになって剛構造になって石に損傷を与え易く、大きな地震に対する備えとして充分に強固な支持棒とその支持構造を設けなければならず、費用を要することになる。支持棒によってはつ台、上台、中台および芝台をそれぞれ固定し、全体として剛構造とした場合にあっても同じ問題が派生することになる。
【０００９】
本発明は、かかる点に鑑みて支持材としてステンレス棒ははつ台の天端に現われないようにして見栄えをよくしながら、固定拘束手段および弾性拘束手段の組合わせによって大きな地震があっても石に損傷を与えることなく、防震することができ、しかも単一なステンレス棒および単一な穿孔構造の採用によって高費用となることが回避される墓石を提供することを目的とする。
【課題を解決するための手段】
【００１０】
本発明は、下方から上方に向けて芝台石、中台石、上台石およびはつ台石が積層された墓石において、
上台石、中台石および芝台石に上下垂直方向に貫通する穿孔が設けられ、はつ台には底面から上方に向けてはつ台石の高さの２／３以上で貫通しない単一孔としてのはつ台孔が設けられて各穿孔およびはつ台孔は垂直に一直線状に連通され、
芝台石の下端面にステンレス材からなる支持板が設けられ、
該支持板に固定され、各穿孔を一直線状に貫通し、更に一直線状にはつ台孔内に、はつ台石の高さの２／３以上で単一棒としてのステンレス棒が配設され、該ステンレス棒には螺合部が形成されてナットが螺合され、該芝台石の上面上側からナット締めされることによって前記ステンレス棒が芝台石の上面および支持板間で固定的に締結されて、芝台石間下部固定締結手段が構成され、
上台石および中台石の各穿孔およびはつ台孔とステンレス棒との間の間隙に樹脂材が充填され、固定締結されない、はつ台石および中台石間上部樹脂振動吸収手段が構成され、
以ってステンレス棒が前記芝台石間下部固定締結手段とはつ台石および中台石間上部樹脂振動吸収手段とによって拘束されてはつ台がステンレス棒によって転倒防止されるようにされたこと
を特徴とする墓石を提供する。
【００１１】
また、本発明は、各穿孔の内壁とステンレス棒の外面との間隙が、５〜１５ｍｍ／２とされたことを特徴とする墓石を提供する。
【００１２】
また、本発明は、はつ台孔の内壁とステンレス棒の外面との間隙には、はつ台孔の下端から１／３の範囲において樹脂材が充填され、１／３の上方部は空隙とされたことを特徴とする墓石を提供する。
【発明の効果】
【００１３】
本発明は、上述のように、ステンレス棒が芝台間下部固定締結手段とはつ台石および中台石間上部樹脂中間振動吸収手段によって固定および弾性組み合わせになる拘束がなされて、はつ台石がステンレス棒によって転倒防止されるようにしたので、ステンレス棒ははつ台石の天端に現われないようにして見栄えをよくすることができるばかりでなく、大きな地震があっても石に損傷を与えることがなく、防震することができ、単一なステンレス棒および単一な穿孔構造が採用可能にされることによって高費用となることが回避される墓石が提供される。
【発明を実施するための最良の形態】
【００１４】
以下、本発明の実施例を図面に基づいて説明する。
【実施例１】
【００１５】
図１は本発明の実施例である墓石の構成を示す。図１において、墓石１００は上方から下方に向けてはつ台石１、上台石２、中台石３および芝台石４によって構成される。すなわち墓石１００は下方から上方に向けて芝台石４、中台石３、上台石２およびはつ台石１が積層されて構成される。各石角状石から構成され、通常横断は正方断面形状とされる。芝台石４は土台石あるいは要台石と、中台石は箱石と、上台石は角石と、はつ台は、竿台、仏台、棹台と呼ばれることがあり、他の名称によって呼ばれる場合がある。そして上台石２とはつ台石１との間にスリン石５蓮花台あるいは銅張りと呼ばれる場合もあるが入れられた構造とされる場合がある。芝台石４、中台石３、上台石２、スリン石５から更にはつ台石１に上方に積層されるにつれて各石の横断面積は小さくされ、はつ台石１は最小横断面積とされ、その高さ方向の長さは最長の縦長形状として構成される。従ってはつ台石１は支持手段がないと地震の振動によって転倒し易い。
【００１６】
上台石２、スリン石５、中台石３および芝台石４に上下垂直方向に貫通する穿孔１２、１５、１３，１４が設けられる。
【００１７】
はつ台石１には底面から上方に向けてはつ台石の高さの２／３以上で天端まで貫通しない単一孔としてのはつ台孔１１が設けられる。
【００１８】
各穿孔１５、１２、１３、１４およびはつ台孔１１は垂直に一直線状に連通される。
芝台石４の下端面に座金より充分に大きな座金より充分に大きなステンレス材からなる支持板（ステンレス板）６が設けられる。この支持板６には単一棒としてのステンレス棒７に固定される。
【００１９】
ステンレス棒７は支持板６に固定され、各穿孔を一直線状に貫通し、更に一直線状にしてはつ台孔１１内に、はつ台石１の高さの２／３以上で、前述した単一棒としてのステンレス棒７が配設される。従って、ステンレス棒７は形状が簡単な単一棒として形成されている。
【００２０】
ステンレス棒７の下端部には螺合部が形成されてナット８，９が螺合される。
芝台石４はＧL上の基礎となるカロード１６上に配設される。
【００２１】
支持板６に固定されたステンレス棒７は芝台石４の穿孔１４を貫通して配設され、ナット９が螺合され、ナット９をスパナで回動させることによってステンレス棒７を芝台石４にしっかりと固定締結する。このように芝台石４の上面上側からナット締めされることによってステンレス棒７が芝台石４の上面および支持板６間で固定的に締結される。従って、ステンレス棒７の変形は芝台石の上面から許容されることになる。
【００２２】
この場合に、ステンレス棒７を支持板６に固定していること及び一定の板幅を備えた芝台間の上下間で締結していることが重要である。従って、単に座金配置によって締結する構成でないことに注目されるべきである。このようにして、芝台石４とステンレス棒７とは支持板６を配置してのナット締めによって芝台石間下部固定締結手段２１が形成される。ここで下部とはステンレス棒７の下端部においてという意味であり、後述の上部と対比される。
【００２３】
上台石２および中台石３の各穿孔１２、１３、図１に示す例ではスリン石５の穿孔１５を貫通してステンレス棒７が配設される。各穿孔１５とステンレス棒７との外面との間の間隙３０には樹脂材が充填される。この樹脂材は上台石２、中台石３、スリン石５とステンレス棒７とを連結し、あるいは連接し、地震による振動が発生した場合に振動吸収する緩衝部材として作用する。振動が発生すると各石はゆれ、ステンレス棒７は樹脂材の柔らかさによって穿孔間を振れることになるが樹脂材による緩衝作用による力が働くことになって、各石には元の中央の位置に戻される力が働くことになる。従って、各石とステンレス棒７とのずれはまったくないかあっても極めて少ないものとなる。
【００２４】
このように、ステンレス棒７はいかなる固定手段によって固定されておらず、樹脂材によって固めの弾性を持って拘束される。樹脂材は各穿孔の内面に連結するのもであってもよいし、あるいは接着状態が形成されるものであってもよい。熱可塑性樹脂を充填してもよいし、あらかじめ間隙内に樹脂材を埋め込んでおいてもよい。
【００２５】
このようにして、上台石２および中台石３、場合によってはスリン石５を加えて、これに形成した各穿孔とステンレス棒７との間の間隙３０に樹脂材が充填されて固めの弾性で締結され、止め具などによって固定締結されない、上台石２および中台石３間、あるいはスリン石５および中台石３間の中間樹脂振動吸収手段２２が形成される。ここで中間とは芝台石４とはつ台石１との間に形成されるという意味である。
【００２６】
芝台石４、中台石３および上台石２（場合によってはスリン石５を加えて）とステンレス棒７とは、芝台石間下部固定締結手段２１と上台石および中台石間中間樹脂振動吸収手段２２を形成し、この拘束状態ではつ台石１がスリン石５上に載置される。この時に、ステンレス棒７ははつ台石１のはつ台孔１１内に挿入される。そして、この挿入の時に、はつ台孔１１内には下端部に前述と同様の樹脂が装着してあり、ステンレス棒７が挿入完了した時点で、樹脂層ははつ台孔１１の１／３程度とされる。
【００２７】
このように、はつ台孔１１の内壁とステンレス棒７の外面との間隙３１には、はつ台孔１１の下端から１／３の範囲において樹脂材が充填され、１／３の上方部は空隙とされる。全域において樹脂材を充填してもよいが、その必要はない。これによって、はつ台石樹脂振動吸収手段２３が形成される。そして、上台石および中台石間中間樹脂振動吸収手段２２とはつ台石樹脂振動吸収手段２３によってはつ台石および中台石間上部樹脂振動吸収手段２４が構成される。
【００２８】
図２は、上台石２と中台石３との間に接着剤３３が設けられている状態を示す。カロード１６と芝台石４との間、芝台席４と中台石３との間、上台石２とスリン石５との間、スリン石５とはつ台石１との間にも同様に接着剤３０が設けられる。
【００２９】
図３はステンレス棒７の形状、および支持板６にステンレス棒７を取り付けて固着した状態を示す。ステンレス棒７は全長Hの高さを有し、全長に亘って同一の太さの丸棒からなり、下端部に螺合部３２が形成された単一状とされる。ここで単一状とは複雑形状しない、単純形状であることをいう。ステンレス棒７は丸棒が望ましいが角棒であってもよい。
【００３０】
螺合部３２には上下に２個のナット９、８が螺合され、各ナットはステンレスのダブルナットで構成される。中台石３の下端面にはナット９を配置するくぼみが形成される。この例では支持板６に穿孔１６を形成し、この穿孔１６にステンレス棒７を貫通させて下部側においてナット８を螺合しているが、このナット８を廃してステンレス棒７を支持板６に直接溶接によって固定してもよい。しかし、図に示すようにナット８を設けたほうが作業性がよい。ステンレス棒７は、例えば径が２５ｍｍ、高さH＝１５９０ｍｍが採用され、支持板６は縦横共３００ｍｍで厚さ５ｍｍのステンレス板で構成される。このように幅広の支持板６は芝台石間下部固定締結手段２１を形成した時に、ステンレス棒７をしっかりと芝台石間に固定する作用をなす。座金の大きさではこの固定作用を期待することは出来ない。
【００３１】
このようにして形成したステンレス棒７を図１に示すように、間隙３０、３１に挿入する場合、各穿孔、はつ台孔１１は内径３０〜４０ｍｍに形成するものとし、従って片側の間隙は５〜１５ｍｍ／２となる。両側間隙で５〜１５ｍｍとなる。このようにして形成された間隙３０に樹脂材が圧入充填される。樹脂材３２を圧入して接着剤としても機能させた場合を図４に示す。
【００３２】
図４において、ステンレス棒７は、はつ台石１の高さＨ１の２／３以上の長さ（２／３H１）がはつ台孔１１に挿入されるようにして安定性を確保する。
【００３３】
図５（ａ）は、上述したように芝台石間下部固定締結手段２１および上台石および中台石間中間樹脂振動吸収手段２２を形成した状態を示し、図５（ｂ）は支持板６の平面を示す。本実施例は最下部に、芝台間下部固定締結手段２１を形成し、中間部に上台石および中台石間中間振動吸収手段を形成し、最上部のはつ台石１に上部振動吸収手段を形成し、このようにして下部固定、上部弾性拘束したステンレス棒７を利用して上部に設けたはつ台石１１を拘束し、はつ台石にステンレス棒７を直接接触させることなく、転倒防止している。
【００３４】
図６は本実施例の作用を比較例１−４と比較して説明する図である。図６において、比較例１はステンレス棒７が下端部をナットおよび座金で、各石間を接着剤によって拘束された例であり、比較例２は比較例１のものに更に下端部を本実施例間隙の支持板で拘束された例であり、比較例３は比較例２のものに更に芝台石４の上面に設けたナットによって締付を行なって芝台石間下端部締結手段が構成された例であり、比較例４は比較例３のものに更に各石間をナット締めによって固定した例である。本実施例は、前述のように芝台石間下部固定締結手段が構成され、更に上台石２および中台石３の各穿孔およびはつ台孔とステンレス棒７、との間の間隙に樹脂材が充填され、止め具による固定締結されない、はつ台石および中台石間上部樹脂振動吸収手段が構成された例である。図６（ａ）は各例のステンレス棒７の拘束手段を示し、図６（ｂ）は図（ａ）の拘束手段が採用された時の各石の振動に影響されたステンレス棒７の地震が続いた状態での挙動を模式的に、すなわち誇張して示す図である。
【００３５】
比較例１にあっては、芝台石下端からステンレス棒７は大きく揺れる。このために、ステンレス棒７はは各石の穿孔、はつ台孔に亀裂を生ぜしめることになる。ゆれが続くと、座金が外れ、ステンレス棒７は落下するに至り、墓石は容易に倒壊する。
【００３６】
比較例２にあっては、芝台石下端からステンレス棒７は大きく揺れるが揺れは比較例１に比べて小さい。しかし、大きな揺れのために、ステンレス棒７は各石の穿孔に亀裂を生ぜしめることになる。ゆれが続くと支持板は外れ、ステンレス棒７は落下するに至り、墓石は容易に倒壊する。各穿孔に樹脂材のみを設けた拘束例にあっては比較例と同様となる。
【００３７】
比較例３にあっては、芝台石上端からステンレス棒７は大きく揺れるが揺れは比較例２に比べて小さい。しかし、大きな揺れのためにステンレス棒７は中台、上台の穿孔、はつ台孔に亀裂を生ぜめることになる。ゆれが続いても止め具（ナット）によってステンレス棒７は落下するには至らないが、墓石は傾き、ついには倒壊する。
【００３８】
比較例４にあっては、各石間に止め具が設けられて固定され、剛性体構造とされているためにステンレス棒７の振れは各石と共振して揺れは小さい。各石に働く力が隣接する右にそのまま伝達して、ステンレス棒と各穿孔あるいははつ台石間には大きな力が働いてステンレス棒７は各穿孔あるいははつ台孔に亀裂を生ぜしめる。ゆれが続いても、止め具によってステンレス棒７が落下することがないが、ステンレス棒７との間の大きな力の相互作用によって墓石は傾き倒壊し易い。はつ台石のはつ台孔に止め手段を設けた場合にもこの例と同様になる。
【００３９】
本実施例にあっては、下部を芝台間下部固定締結手段で固定拘束し、中間部および上部が、すなわちはつ台石および中台石間上部樹脂振動吸収手段による弾性拘束によって竹材あるいはつり竿の如くのしなり機能によってステンレス棒の下部は芝台石の振動に対して相対的にほとんど揺動せず、上部はしなり機能による緩衝機能によって各穿孔およびはつ台孔とステンレス棒との間に働く力が吸収されて元に復帰し、各石も先に復帰するように作用する。従って、墓石が倒壊することがない。特にはつ台石が転倒することが防止され、はつ台孔に亀裂が入ることが防止される。
【図面の簡単な説明】
【００４０】
【図１】本発明の実施例の構成を示す一部断面を含む図。
【図２】中台石と上台石との間接着剤で接着した状態を示す図。
【図３】ステンレス棒および支持板の詳細を示す図。
【図４】本実施例の上部構成を示す図。
【図５】本実施例の下部構成を示す図。
【図６】本発明の実施例の作用を説明する図。
【符号の説明】
【００４１】
１…はつ台石、２…上台石、３…中台石、４…芝台石、５…スリン石、６…支持板（ステンレス板）、７…ステンレス棒（支持棒）、８，９…ナット、１１…はつ台孔、１２，１３，１４，１５，１６…穿孔、２１…芝台間下部固定締結手段、２２…上台石および中台石間中間樹脂振動吸収手段、２３…はつ台石上部樹脂振動吸収手段、２４…はつ台石および中台石間上部樹脂振動吸収手段、１００…墓石。
【図１】
0004558817.tif 000002
【図２】
0004558817.tif 000003
【図３】
0004558817.tif 000004
【図４】
0004558817.tif 000005
【図５】
0004558817.tif 000006
【図６】
0004558817.tif 000007